(57)【要約】  本発明は、クリーナ取付け装置に関し、特に、真空クリーナまたは圧力クリーナに取付けるための装置に関する。より特定的には、本発明は、給湯機の背後または他の狭い空間において清掃するための取付け具に関するが、これに限定されない。クリーナ取付け装置は、細長い本体（１０）を備え、細長い本体（１０）は、当該本体に沿って螺旋状に配置された複数のアパーチャ（４）と、上記本体に沿って配置されるとともに上記本体から延在する複数の弾性変形可能な部分と（５）を備える。
2019517339.tif 000002
【特許請求の範囲】
【請求項１】
クリーナ取付け装置であって、
細長い本体を備え、前記細長い本体は、
前記本体に沿って螺旋状に配置された複数のアパーチャと、
前記本体に沿って配置されるとともに前記本体から延在する複数の弾性変形可能な部分とを有する、クリーナ取付け装置。
【請求項２】
前記複数の弾性変形可能な部分は、前記本体に沿って螺旋状に配置されるとともに、前記本体から延在している、請求項１に記載の装置。
【請求項３】
クリーナ取付け装置であって、
細長い本体を備え、前記細長い本体は、
長手方向に配置された複数のアパーチャと、
前記本体から延在するとともに、長手方向に配置された複数の弾性変形可能な部分とを備える、クリーナ取付け装置。
【請求項４】
前記装置は第１の端部においてクリーナ取付け手段を含む、請求項１から３のいずれか１項に記載の装置。
【請求項５】
前記本体は前記クリーナ取付け手段よりも直径が狭い、前述の請求項のいずれか１項に記載の装置。
【請求項６】
前記弾性変形可能な部分は複数の剛毛を含む、前述の請求項のいずれか１項に記載の装置。
【請求項７】
３つのアパーチャおよび３つの弾性変形可能な部分を含む、前述の請求項のいずれか１項に記載の装置。
【請求項８】
前記アパーチャは細長く、実質的に前記本体の長さに沿って延在している、前述の請求項のいずれか１項に記載の装置。
【請求項９】
前記弾性変形可能な部分は細長く、実質的に前記本体の長さに延在している、前述の請求項のいずれか１項に記載の装置。
【請求項１０】
前記部分はずらすことができる、前述の請求項のいずれか１項に記載の装置。
【請求項１１】
真空クリーナとともに用いるための、前述の請求項のいずれか１項に記載の装置。
【請求項１２】
圧力クリーナとともに用いるための、前述の請求項のいずれか１項に記載の装置。
【請求項１３】
図１〜図５を参照して明細書中に実質的に記載される装置。
【請求項１４】
図６を参照して明細書中に実質的に記載される装置。
【請求項１５】
前記アパーチャは幅または形状が異なっている、前述の請求項のいずれか１項に記載のクリーナ取付け装置。
【請求項１６】
前記弾性変形可能な部分は詰め物を含む、前述の請求項のいずれか１項に記載のクリーナ取付け装置。
【請求項１７】
前記弾性変形可能な部分は、発泡体などの気泡構造材料を含む、前述の請求項のいずれか１項に記載のクリーナ取付け装置。
【請求項１８】
前記アパーチャは前記弾性変形可能な部分によって覆われている、前述の請求項のいずれか１項に記載のクリーナ取付け装置。
【請求項１９】
前記弾性変形可能な部分は、一定のサイズ未満である塵または他の破片を通し得る、請求項１８に記載のクリーナ取付け装置。
【請求項２０】
前記アパーチャは、前記本体内へと径方向に延在する２つの壁を備えた、前記本体の長さに対して平行な細長いスリットである、前述の請求項のいずれか１項に記載のクリーナ取付け装置。
【請求項２１】
実質的に三角形または他の幾何学的形状の多面断面の本体輪郭である、前述の請求項のいずれか１項に記載のクリーナ取付け装置。
【請求項２２】
前記アパーチャは、空気を前記本体へと促進するような形状を備える、前述の請求項のいずれか１項に記載のクリーナ取付け装置。
【請求項２３】
前記細長い本体の遠位端において開口部をさらに含む、前述の請求項のいずれか１項に記載の装置。
【請求項２４】
前記開口部は可変アパーチャを有する、請求項２３に記載の装置。
【発明の詳細な説明】
【技術分野】
【０００１】
発明の分野
本発明は、クリーナ取付け装置に関し、特に、真空クリーナまたは圧力クリーナへの取付けのための装置に関する。より特定的には、本発明は、給湯機の背後または他の狭い空間における清掃のための取付け具に関するが、これに限定されない。
【背景技術】
【０００２】
背景
多くの社会において清潔さ、衛生およびアレルゲンに関する意識が高まるにつれて、多くのユーザが自身の環境の維持レベルを高めることを求めている。
【０００３】
多くのユーザは、自身の家または事務所を清掃するために真空クリーナまたは圧力クリーナを用いる可能性がある。
【０００４】
真空クリーナは、特に、典型的な環境におけるさまざまな異なる区域にアクセスするために配置されたさまざまな取付け具を備える。
【０００５】
たとえば、狭い空間において真空掃除するための長い取付け具が当該技術においては一般的である。しかしながら、吸引箇所が真空クリーナからさらに離れていても、狭い空間の側部を清掃するのに特に役立つわけではない。
【０００６】
先行技術
したがって、上記問題を解決しようと試みて、いくつかの特許出願が提出されてきた。
【０００７】
米国特許ＵＳ８０８３８６０（ＬＯＦＴＩＳ）は、部屋の埃取りをしたり部屋を清掃したりするための清掃システムを開示している。
【０００８】
ドイツ特許出願ＤＥ２０３１３２４４（ＧＯＬＤＩＮら）が開示している真空クリーナツールは、弾力性および可撓性のある管であって、その一方の端部が従来の真空クリーナに接続されており、その他方の端部が狭い空間から粉塵を吸引するように設計されている。管は、その長さに沿って、負圧面を呈するいくつかの開口部を有する。管の外面には弾力性および可撓性のあるブラシが取付けられている。
【０００９】
韓国特許出願ＫＲ１００５０７９２４（ＰＡＲＫら）が開示している真空クリーナの補助クリーニングツールは、中空円筒として形成された定置体を備える。定置体は、クリーナ本体に接続された吸込ホースアセンブリの端部に取外し可能に接続されている。定置体に沿って、複数の吸込穴が形成されている。
【発明の概要】
【課題を解決するための手段】
【００１０】
発明の概要
本発明に従うと、請求項１によって規定されるクリーナ取付け装置が提供される。
【００１１】
本発明の一局面に従うと、細長い本体を含むクリーナ取付け装置が提供される。細長い本体は、長手方向に配置された複数のアパーチャと、長手方向に配置されるとともに本体から延在する複数の弾性変形可能な部分とを備える。
【００１２】
上記クリーナは、真空クリーナを含んでもよく、または、いくつかの実施形態においては、吸引によって動作するのではなく、圧力クリーナまたは流体を放出する他のクリーナを備えてもよい。
【００１３】
いくつかの実施形態においては、アパーチャは細長い本体の２つの両端部間において外面または表面を貫通している。いくつかの実施形態においては、変形可能な部分は、細長い本体の２つの両端部間において外面または表面上に長手方向に配置されている。
【００１４】
いくつかの実施形態においては、弾性変形可能な部分は、詰め物、または発泡体などの気泡構造材料を含む。
【００１５】
いくつかの実施形態においては、上記部分は、剛毛などの個々の部材を含む。たとえば、上記部分は、本体上で長手方向に配置されたブラシを含んでもよく、剛毛が本体から直交して延在している。このように、剛毛は、小さい粒子を取除くとともに或る区域を掃くのに用いられ得るように、個々にさらにはブラシ全体に、可撓性をもつように配置されてもよい。
【００１６】
いくつかの実施形態においては、アパーチャは、本体または上記部分の長さにまで延在している。他の実施形態においては、アパーチャは、本体に沿ってほぼ上記部分の長さにまで配置されている複数のアパーチャを含み得る。たとえば、アパーチャは、本体の長さに沿って延在する細長いスリットであってもよく、または、本体の外面に沿って長手方向軸に沿って配置された複数のアパーチャを含んでもよく、または、本体の外面に沿って放射軸のまわりに螺旋状に配置された複数のアパーチャを含んでもよい。アパーチャは、本体の外面に沿って二重らせんを形成するように配置されてもよい。アパーチャは、長手方向軸または螺旋に沿った隣接するアパーチャ間の間隔が実質的に等しくなるように等間隔に配置されてもよい。代替的には、長手方向軸または螺旋に沿った隣接するアパーチャ間の間隔は異なっていてもよい。たとえば、アパーチャは、本体の第１の端部に向かってより密な間隔で配置されていてもよく、本体の反対側の第２の端部に向かってより疎な間隔で配置されてもいてもよい。アパーチャが複数のアパーチャを含む場合、これらアパーチャは如何なる形状であってもよい。たとえば、各々のアパーチャは実質的に円形または正方形であってもよく、または、各々のアパーチャは細長くてもよく、たとえば、楕円形もしくは長方形であってもよい。各々のアパーチャの長手方向軸は、それぞれのアパーチャがそれに沿って配置されている長手方向軸または螺旋と位置合わせされていてもよい。代替的には、各々のアパーチャの長手方向軸は、それぞれのアパーチャがそれに沿って配置されている長手方向軸または螺旋に対して傾斜して位置決めされていてもよい。たとえば、本体の外面に沿って螺旋状に配置されている複数の長方形のアパーチャの場合、各々の長方形のアパーチャの長手方向軸は本体の長手方向軸と位置合わせされていてもよい。
【００１７】
いくつかの実施形態においては、アパーチャは、上記部分によって取除かれたいずれの粉塵もアパーチャを介して順次または続いて吸引され得るように、変形可能な部分の間に配置されている。いくつかの実施形態においては、アパーチャは変形可能な部分に等しい長さであってもよく、上記部分およびアパーチャを別々に配置するために変形可能な部分の間に点在させてもよい。いくつかの実施形態においては、アパーチャは上記部分内に配置されてもよい。いくつかの実施形態においては、変形可能な部分が一定のサイズよりも小さい塵または他の破片を通し得るような実施形態においては、アパーチャは変形可能な部分によって覆われていてもよい。上記部分は、複数の剛毛、たとえば、馬毛、プラスチック、または同様のブラシ用途で用いられる傾向のある他の材料を含んでもよい。
【００１８】
細長い本体の内部は、塵または破片が取付け手段の長さに沿ってアパーチャを通って本体に入って外部真空装置に入るのを容易にするように中空であってもよい。細長い本体の内部は、塵または破片が通過する滑らかな壁付き通路を含んでいてもよく、これにより、物体が装置の内部に突刺さり、これを遮断することによって真空力を低下させるリスクを低減させ得る。
【００１９】
いくつかの実施形態においては、アパーチャは、本体内に径方向に延在する２つの壁を備えた、本体の長さに対して平行な細長いスリットである。内壁は、本体の内部体積に対する細長い中心開口部の内部でスリットを狭め得る。
【００２０】
いくつかの実施形態においては、本体は、装置が細部を真空吸引するのに用いられ得るように、少なくとも１つの別個の開口部を含む。このような開口部は、より高度な制御を可能にするために、アパーチャよりも広くてもよく、および／または、より集束されていてもよく、もしくはより小さくてもよい。
【００２１】
このような開口部は、使用時には真空クリーナから遠位側にある装置の端部に位置してもよく、当該端部に隣接して位置していてもよく、または当該端部上に位置していてもよい。
【００２２】
いくつかの実施形態においては、アパーチャは、たとえば、本体の長さに沿って幅または形状が異なっていてもよい。このように、アパーチャは、たとえば、均等な吸引または制御された吸引を可能にするように、本体内の真空強度を変化させることを可能にし得る。たとえば、いくつかの実施形態においては、アパーチャは真空力の低下を補償するように真空クリーナから遠位側の端部に向かって広くなっていてもよい。代替的には、アパーチャの幅の形状は、本体の外面上の別々の箇所において異なる吸引強度をもたらすように変化させてもよい。
【００２３】
いくつかの実施形態においては、アパーチャは鋸歯状であってもよく、穿孔であってもよく、または波状であってもよい。
【００２４】
アパーチャはまた、ブラシを通り過ぎた後、および／または、本体の断面径が小さくなっているところを通り過ぎた後にも、継続して設けられるように意図されていてもよく、真空取付け具の穿孔は、取除かれた物質が上記部分を囲む空気からより適切に真空クリーナホースに引込まれるように継続して設けられていてもよい。
【００２５】
いくつかの実施形態においては、装置は、合わせ側面上に長手方向のアパーチャと弾性変形可能な部分とを含んでおり、たとえば、実質的に三角形または他の幾何学的形状の多面断面の本体輪郭をもたらし、たとえば、各々の面から延在する部分を備えている。このように、本体は、複数の向きで使用可能であるとともに必要に応じて長い平坦面に押当てることが可能である強固なコンパクト形状をもたらす。
【００２６】
いくつかの実施形態においては、装置は真空取付け手段を含む。このような取付け手段は、ホース取付け手段を含む摩擦継手を含んでもよい。これにより、従来の真空クリーナへの真空取付け手段の取付けが容易になり得る。
【００２７】
いくつかの実施形態においては、真空取付け手段は本体よりも広い直径を含み得る。取付け手段は、摩擦継手などの標準的な真空クリーナ取付け継手を含んでもよい。これにより、真空取付け手段を従来の真空クリーナのホースよりも狭くすることが可能となり得、これにより、アパーチャを通る吸引力を高め得る。
【００２８】
いくつかの実施形態においては、装置は、ホースを含み得るかまたは関節式接合部を含み得る可撓性部分を備える。このようにして、装置は、たとえば、隣接させることのできる細長い剛性本体および可撓性のあるホースを含み得る。この場合、装置またはクリーナの使用が容易になるように、複数の可撓性のある部分同士が接続される。可撓性のある部分は、ユーザが本体を適所、たとえばラジエータの背後、に移動させることを可能にし得る。
【００２９】
いくつかの実施形態は２つ以上の可撓性のある部分を含み得る。
いくつかの実施形態においては、本体は、装置の操作および制御を容易にするように、硬質の真っすぐな細長い管状体であってもよい。他の実施形態においては、本体は、ホースの長さの外側に沿って延在する長手方向アパーチャを備えた可撓性のあるホースであってもよく、これにより、取付け具がさまざまな異なる形状の区域または空洞を清掃することを可能にし得る。
【００３０】
いくつかの実施形態においては、アパーチャは、空気を本体内へと促進するような形状（たとえば、漏斗状の肩部または面取りされた肩部）を含み得る。
【００３１】
いくつかの実施形態においては、弾性変形可能な部分は、たとえば、全体的にまたは摺動可能に、ずらすことが可能であってもよく、または元のところに戻すことが可能であってもよい。たとえば、装置はアンカーまたはそのためのスロットを含んでもよい。
【００３２】
いくつかの実施形態においては、アパーチャはフィルタ手段を含み得る。たとえば、いくつかの実施形態においては、フィルタは、たとえば、全体的にまたは摺動可能に、ずらすことが可能であってもよく、または元のところに戻すことが可能であってもよい。
【図面の簡単な説明】
【００３３】
【図１】本発明に従った装置の第１の実施形態を示す等角図である。
【図２】図１に示される実施形態を示す２つの側面図である。
【図３】本発明に従った装置の第２の実施形態を示す分解等角図である。
【図４】図３に示される実施形態を示す逆側の分解等角図である。
【図５】図１に示される実施形態を示す端面図である。
【図６】本発明に従った装置の第３の実施形態を示す等角図である。
【図７】本発明に従った装置のさらなる実施形態の詳細を示す概略図である。
【図８】本発明に従った装置の第４の実施形態を示す等角図である。
【図９】本発明に従った装置の第５の実施形態を示す等角図である。
【図１０】本発明に従った装置の第６の実施形態を示す等角図である。
【発明を実施するための形態】
【００３４】
図の詳細な説明
図を参照すると、真空クリーナホース（図示せず）を摩擦嵌合するように配置された開口部７を呈する鍔部１を備えたホース継手端部を備えた真空取付け手段のいくつかの実施形態が示される。
【００３５】
開口部の直径はベンチュリ円錐部２において細長い本体１０に向かって小さくなっている。
【００３６】
３つの長手方向のアパーチャ４が細長い本体１０の外壁を通るとともに、３つの長手方向のブラシ部分５が細長い本体１０の外部上に配置されている。アパーチャ４およびブラシ部分５は、本体１０の遠位端３とホース継手端部のベンチュリ円錐部２との間において本体１０の長さに沿って延在する。アパーチャ４およびブラシ部分５は、本体１０の断面の実質的に三角形の円周のまわりに交互に配置されており、これにより、アパーチャ４が２つの各々のブラシ５の間に位置するとともにブラシ５が２つの各々のアパーチャ４の間に位置するようにされている。
【００３７】
細長い本体は細長い三角柱の形状である。
いくつかの実施形態においては、装置は、限られた区域から物質を除去するように吸引空気または水圧とともに用いられてもよい。このようにして、装置は配管および管類の内部を清掃するために用いられてもよい。
【００３８】
１つの特定の応用例は、たとえば、波状の縦溝、または、接近し易さが限られているかもしくは狭められている固定対象物の背後もしくは下などの、既存の真空クリーナ取付け具を用いても到達できない空間から汚れ粒子または塵粒子を効率的に除去することを可能にする家庭用または工業用クリーナのための取付け具としてのものである。
【００３９】
使用時に、装置は、小空間内へと操作されてもよく、ブラシ部分は、清掃するべき表面を上を穏やかにまたは力強く通過させることで、破片または塵粒子を取除き、取除かれた粒子を吸引を用いて除去するようにし得る。
【００４０】
本体は、熱可塑性物質、金属または合金から形成されており、弾性変形可能なブラシ部分は、複数のプラスチック材料または他の材料からなる剛毛を含む。
【００４１】
アパーチャは面取りされた開口部１０を含むとともに、単一の細長いアパーチャとして形成されており、中心の細長い開口する内部体積１２を残すように内部において狭くなっている径方向内側に延在する２つの側部によって規定されている。
【００４２】
ブラシは、使用時に本体上の平坦な基部９に接着されるバッキングプレート１１と広がった剛毛とを含む。
【００４３】
装置は、ホース上で摺動させられる摩擦継手によって真空クリーナホースに取付けられるように配置されている。
【００４４】
さまざまな実施形態においては、剛毛の長さ、装置の直径および長さなどの寸法は異なっていてもよい。
【００４５】
真空クリーナ取付け具は、ラジエータの壁と後部との間、または、ラジエータおよび他の構造の背後、下方、上方および内部などにおいて、主に、届きにくい区域から塵を除去するために用いられるだろう。
【００４６】
装置は、たとえば、気管支または喘息の症状を患っているユーザに適したいくつかの実施形態において、既存の真空クリーナの一部または後付けされる独立型の修理・補修市場の商品として意図されてもよい。
【００４７】
塵がかき乱されるかかき回されるかまたは取除かれた後、塵は、本体の側面に沿って位置決めされた３つの吸引アパーチャを介して吸引されることとなる。これに加えて、残りの塵をいずれも除去するように管の端部に三角形の開口部が設けられている。
【００４８】
装置は約１０ｃｍ〜６０ｃｍの長さであってもよい。
第１の実施形態においては、本体はエンドキャップ３を備える。エンドキャップ３は、取付け手段から遠位側にあって、細部を真空吸引するために中央開口部６を備えて配置されている。
【００４９】
エンドキャップは、ドーム形の上部および延在側部を含んでおり、これにより、端部がブラシ部分を越えたところに到達して、複数の角度から平坦面上に配置され得るかまたは平坦面によりかかって配置され得るようになっている。
【００５０】
第２の実施形態においては、エンドキャップは、上記部分が使用時に実質的に装置の端部に到達するように延在するように、使用時に本体内に挿入される側部８によって支持される概してドーム形のディスク１３を含む。これにより、装置が、障害物または端壁に隣接する表面をより容易に清掃することが可能になり得る。
【００５１】
第１の実施形態においてキャップを通るアパーチャを、図５ａおよび図５ｂにおいて見ることができる。本体の中心を通るアパーチャ６は、細部の真空吸引の際にその使用を可能にするように引続きキャップ内を通っている。
【００５２】
図７ａに示される実施形態においては、本体への六角形の開口部４が、本体の実質的に三角形の断面を反映しており、長手方向のアパーチャは、キャップを通って端部開口部と交差するように端部に連なっており、本体は、エンドキャップなしで本体の形状を支持するために内部ブレーシングを備え得る。付加的なブラシ部分は、細部の真空吸引中に塵を取除き易くするように長手方向アパーチャ間において端部開口部を囲んでいる。
【００５３】
図７ｂに示される実施形態においては、エンドキャップは三角形の開口部４６を含んでおり、端部はさらに、端部を左右に横断するように配置された側方開口部４８および開口部４７を含む。このようにして、ユーザにとっては、細部の真空吸引にさらなる多様性が得られる。
【００５４】
ブラシ部分５１は、狭い空間における操作性がより容易になり得るようにエンドキャップから離れるように傾斜している。
【００５５】
アパーチャ５０は、真空クリーナに向かってじょうご状に開くとともに、円錐部を上にして延在することで、上記部分によって塵が取除かれた後の全体的な吸引を支援する。
【００５６】
図７ｃに示される実施形態においては、エンドキャップは、アパーチャではなく端部の断面の円周まわりにのみ側方開口部４８を含む。エンドキャップは、本体に永久に固定されてもよく、側方開口部において空気が入ってくるのを可能にするように、本体から間隔が空けられていてもよい。
【００５７】
図６に示される実施形態においては、アパーチャ４４および剛毛部分４５は、互いに隣接して設けられているとともに、本体の細長い表面上に分散されている。
【００５８】
図８〜図１０においては、アパーチャ４は、細長い本体１０の外面に沿って螺旋状に配置されている。弾性変形可能な部分５も、細長い本体１０の外面に沿って螺旋状に配置されている。図８においては、アパーチャ４は円形であるとともに、螺旋に沿って配置されている。図９および図１０においては、アパーチャは長方形であるため細長い。図９においては、長方形の各アパーチャ４の長手方向軸は螺旋と位置合わせされている。図１０においては、長方形の各アパーチャ４の長手方向軸は細長い本体１０の長手方向軸と位置合わせされている。
【００５９】
装置は、確実に嵌合できるように既存の真空ホースと互換性がある。
アパーチャにより、経路の気流および塵が装置内に流れ込んで真空ホースを下っていくことが容易になる。
【００６０】
上述のとおり、装置は、本体の長さに沿って（たとえば、螺旋状に）配置されたアパーチャと、任意には、遠位端における本体の先端部における開口部とを含む（遠位端は近位端とは反対側にあり、この近位端において、本体は、クリーニング装置への取付けのための取付け手段を有し得るかまたはクリーニング装置に永久に取付けられ得る）。開口部が可変アパーチャを有する（アパーチャは閉じることも可能であり得る）ことが好ましい。開口部およびアパーチャは連通している。このようにして、開口部とアパーチャとの間におけるクリーニング装置から／クリーニング装置への流体流れのバランスがユーザによって調整可能となり得る。このような可変アパーチャは、たとえば、さまざまな形状で設けられてもよく、開口部は、そこに挿入される円錐形または角錐形の栓（その先端部が開口部に挿入される）を備えていてもよく、当該栓は、開口部を通る流量面積を減らすために本体へと長手方向に引き込まれ得るか、または、開口部を通る流量面積を増加させるために、本体から長手方向に平行移動され得る。このような調整は栓が装着されるネジ付きロッドを回転させることによって本体の近位端においてなされてもよい。
【００６１】
代替的には、調整可能な邪魔板が、本体の先端の開口部を覆う第２の邪魔板と協働してもよい。調整可能な邪魔板は、第２の邪魔板における対応する穴と位置合わせすることができる複数の穴を、当該調整可能な邪魔板を貫通するように備えてもよい。調整可能な邪魔板の回転により、２つの邪魔板の穴のアライメントが変化し、これにより、それらの有効開口度を制御する。また、上記調整は、本体の近位端から実施することができる。このようにして、装置は本体の長さに対して平行な表面、または本体の先端に対して垂直な表面、またはどちらかの流路のための制御流れを用いて両方の表面、を清掃するのに用いることができる。
【００６２】
本発明は、例としてのみ記載されているに過ぎず、特に上述の実施形態の特徴の組合せだけではなく、添付の特許請求の範囲によって規定される発明の範囲から逸脱することなく、上述の実施形態に変更が加えられ得ることが認識されるだろう。
【図１ａ】
2019517339.tif 000003
【図１ｂ】
2019517339.tif 000004
【図２ａ】
2019517339.tif 000005
【図２ｂ】
2019517339.tif 000006
【図３】
2019517339.tif 000007
【図４】
2019517339.tif 000008
【図５ａ】
2019517339.tif 000009
【図５ｂ】
2019517339.tif 000010
【図６】
2019517339.tif 000011
【図７ａ】
2019517339.tif 000012
【図７ｂ】
2019517339.tif 000013
【図７ｃ】
2019517339.tif 000014
【図８】
2019517339.tif 000015
【図９】
2019517339.tif 000016
【図１０】
2019517339.tif 000017
【国際調査報告】
2019517339.tif 000018
2019517339.tif 000019
2019517339.tif 000020
2019517339.tif 000021